(57)【要約】【課題】ユニットの取り出し工数を削減し、作業の効率化を実現するユニットの固定装置を提供する。【解決手段】ユニット１をユニット取り付け板４に載置して筐体２に収納したときにユニット取り付け板４の前面部に形成されたねじ穴に対向する第１の穴１５ａと、ユニット１の底板８の前面部に形成されたねじ穴７に対向する第２の穴１５ｂを有するユニット固定部材１５と、ユニット固定部材１５の第１の穴１５ａとユニット取り付け板４の前面部に形成されたねじ穴７とに挿入され、ユニット固定部材１５と筐体２を固定する第１の連結部材と、ユニット固定部材１５の第２の穴１５ｂとユニット１の底板８の前面部に形成されたねじ穴１１とに挿入され、ユニット固定部材１５とユニット１を固定する第２の連結部材と、を備え、第１の穴１５ａと第２の穴１５ｂのいずれか一方の穴を切り欠き穴で構成した。【選択図】      図１
2008277402.tif 000002
【特許請求の範囲】
【請求項１】
前面部にねじ穴が形成されたユニット取り付け板を有する筐体と、前面部にねじ穴が形成された底板を有するユニットと、を固定するユニットの固定装置であって、
上記ユニットを上記ユニット取り付け板に載置して上記筐体に収納したときに上記ユニット取り付け板の前面部に形成されたねじ穴に対向する第１の穴と、上記ユニットの底板の前面部に形成されたねじ穴に対向する第２の穴を有するユニット固定部材と、
上記ユニット固定部材の上記第１の穴と上記ユニット取り付け板の前面部に形成されたねじ穴とに挿入され、上記ユニット固定部材と上記筐体を固定する第１の連結部材と、
上記ユニット固定部材の上記第２の穴と上記ユニットの底板の前面部に形成されたねじ穴とに挿入され、上記ユニット固定部材と上記ユニットを固定する第２の連結部材と、を備え、
上記ユニット固定部材の上記第１の穴と上記第２の穴のいずれか一方の穴を切り欠き穴で構成したことを特徴とするユニットの固定装置。
【請求項２】
上記ユニット取り付け板に上記ユニットの左右幅の間隔を有する少なくとも一対のユニット押え部材を取り付けると共に、上記ユニットの底板の両側面に内側に折り曲げた折曲部を形成し、上記折曲部を上記ユニット押え部材に係合させることにより上記ユニットを上記ユニット取り付け板に固定することを特徴とする請求項１記載のユニットの固定装置。
【請求項３】
上記ユニットの底板の両側面に上記ユニットの前面から背面方向に切り欠き部を形成したことを特徴とする請求項２記載のユニットの固定装置。
【請求項４】
前面部にねじ穴が形成されたユニット取り付け板を有する筐体と、前面部にねじ穴が形成された底板を有するユニットとをユニット固定部材により固定するユニットの固定方法であって、
上記ユニットを上記ユニット取り付け板に載置して上記筐体に収納し、
上記ユニット取り付け板の前面部に形成されたねじ穴と上記ユニットの底板の前面部に形成されたねじ穴のそれぞれのねじ穴に、上記ユニット固定部材に形成した第１の穴と切り欠き穴から成る第２の穴のそれぞれを対向させ、
上記ユニット取り付け板の前面部に形成されたねじ穴と、このねじ穴に対向する上記ユニット固定部材に形成した上記第１の穴と上記第２の穴のいずれか一方の穴に第１の連結部材を挿通して上記ユニット固定部材と上記筐体を固定し、
上記ユニットの底板の前面部に形成されたねじ穴と、このねじ穴に対向する上記ユニット固定部材の上記第１の穴と上記第２の穴のいずれか他方の穴に第２の連結部材を挿通して上記ユニット固定部材と上記ユニットを固定することを特徴とするユニットの固定方法。
【発明の詳細な説明】
【技術分野】
【０００１】
この発明は、無停電電源装置における電源ユニットなどのように、筐体に収納されるユニットを、その筐体に固定するユニットの固定装置及びその装置を用いたユニットの固定方法に関するものである。
【背景技術】
【０００２】
従来、無停電電源装置における電源ユニットなどのように、筐体に収納されるユニットを、その筐体に固定するユニットの固定装置として、筐体のユニット取り付け箇所に穴を形成すると共に、この穴に対向するユニット自信の筐体取り付け箇所に穴を形成し、筐体に形成した穴とユニット自信に形成した穴にねじやボルト等の連結部材を挿通して、筐体とユニットを固定する方法が取られ、その方法を採用した装置が知られている。
【０００３】
また、ユニットの形状、あるいは取り付け状態によっては、例えばＬ形状の固定金具とねじやボルト等の連結部材により、ユニットを筐体に固定する方法が取られ、その方法を採用した装置が知られている（例えば、特許文献１参照）。
【０００４】
【特許文献１】特開２００２−１０５２４号公報（段落０００３，段落００１６、図１，図９）
【発明の開示】
【発明が解決しようとする課題】
【０００５】
上記特許文献１に開示された固定装置は、メンテナンスや故障発生等でユニットを取り外す必要が生じた場合に、ユニットを固定するのに使用しているねじやボルト等の連結部材を取り外さなければ、ユニットを筐体から取り外すことが出来ないものである。このため、ねじやボルト等の連結部材を取り外した際に、筐体内に落としてしまう恐れがあり、作業に注意が必要であった。また、ユニットの側面側、あるいは背面側にも固定部がある場合には、その固定部でねじやボルト等の連結部材を取り外す必要があって、そのためのスペースを確保する必要があり、装置の小型化を実現する場合の弊害となっていた。
【０００６】
この発明は、上記のような課題を解決するためになされたもので、ユニットの取り出し工数を削減し、作業の効率化を実現するユニットの固定装置及びその装置を用いたユニットの固定方法を提供することを目的とする。
【０００７】
また、別の発明は、ユニットの取り出し工数を削減し、作業の効率化を実現すると共に、装置の小型化を実現できるユニットの固定装置を提供することを目的とする。
【課題を解決するための手段】
【０００８】
この発明に係るユニットの固定装置は、前面部にねじ穴が形成されたユニット取り付け板を有する筐体と、前面部にねじ穴が形成された底板を有するユニットと、を固定するユニットの固定装置であって、上記ユニットを上記ユニット取り付け板に載置して上記筐体に収納したときに上記ユニット取り付け板の前面部に形成されたねじ穴に対向する第１の穴と、上記ユニットの底板の前面部に形成されたねじ穴に対向する第２の穴を有するユニット固定部材と、上記ユニット固定部材の上記第１の穴と上記ユニット取り付け板の前面部に形成されたねじ穴とに挿入され、上記ユニット固定部材と上記筐体を固定する第１の連結部材と、上記ユニット固定部材の上記第２の穴と上記ユニットの底板の前面部に形成されたねじ穴とに挿入され、上記ユニット固定部材と上記ユニットを固定する第２の連結部材と、を備え、上記ユニット固定部材の上記第１の穴と上記第２の穴のいずれか一方の穴を切り欠き穴で構成したことを特徴とするものである。
【０００９】
また、この発明に係るユニットの固定方法は、前面部にねじ穴が形成されたユニット取り付け板を有する筐体と、前面部にねじ穴が形成された底板を有するユニットとをユニット固定部材により固定するユニットの固定方法であって、上記ユニットを上記ユニット取り付け板に載置して上記筐体に収納し、上記ユニット取り付け板の前面部に形成されたねじ穴と上記ユニットの底板の前面部に形成されたねじ穴のそれぞれのねじ穴に、上記ユニット固定部材に形成した第１の穴と切り欠き穴から成る第２の穴のそれぞれを対向させ、  上記ユニット取り付け板の前面部に形成されたねじ穴と、このねじ穴に対向する上記ユニット固定部材に形成した上記第１の穴と上記第２の穴のいずれか一方の穴に第１の連結部材を挿通して上記ユニット固定部材と上記筐体を固定し、上記ユニットの底板の前面部に形成されたねじ穴と、このねじ穴に対向する上記ユニット固定部材の上記第１の穴と上記第２の穴のいずれか他方の穴に第２の連結部材を挿通して上記ユニット固定部材と上記ユニットを固定するものである。
【発明の効果】
【００１０】
この発明によれば、ユニットの定期的メンテナンス、あるいは故障時における電気部品の交換等でユニットを筐体から取り出す場合に、ユニットと筐体との連結部材を緩めるのみで済むため、連結部材を筐体内に落としてしまうこともなくなり、作業の効率化を図ることができる。
【発明を実施するための最良の形態】
【００１１】
以下に添付図面を参照して、この発明に係るユニットの固定装置及びその装置を用いたユニットの固定方法について好適な実施の形態を説明する。なお、以下においてはユニットとして無停電電源装置などの電源ユニットを例に挙げて説明する。
【００１２】
実施の形態１．
図１乃至図３はこの発明の実施の形態１に係る電源ユニットの固定装置を示す図で、図１は電源ユニットを筐体に収納した状態を示す部分斜視図、図２は電源ユニットの斜視図、図３は電源ユニット固定金具を示す拡大斜視図である。
【００１３】
図１において、電源ユニット１は、筐体２を構成する筐体枠３に取り付けられたユニット取り付け板４に移動可能に搭載されている。ユニット取り付け部材、例えばユニット取り付け板４には、電源ユニット１の左右側面の所定箇所にユニット押え部材、例えばユニット押え板５が取り付けられており、このユニット押え板５は電源ユニット１を左右側面から押さえ付け、電源ユニット１を固定させると共に、後述するように電源ユニット１を筐体２から取り出す際、電源ユニット１の移動をガイドする機能を有するものである。また、ユニット取り付け板４の前面部には下方に折曲した折曲部６が設けられ、この折曲部６にはねじ穴７が形成されている。
【００１４】
電源ユニット１には、図２に示すように、底板８の上にコンデンサあるいは抵抗器等の電気部品９等が搭載されている。底板８の前面部には上方に折曲する折曲部１０が形成されると共に、この折曲部１０の両側部にねじ穴１１が形成され、中央部には電源ユニット１を筐体２から引き出す際に使用される取っ手１２が設けられている。また、底板８の両側面にはユニットフレーム１３が形成されており、ユニットフレーム１３の背面方向にはユニットフレーム１３と一体的に押え板受け１４が取り付けられている。この押え板受け１４は、図１に見られるようにユニット押え板５に接触し、ユニット押え板５と共に、電源ユニット１を引き出す際のガイド装置として機能するものである。
【００１５】
また、図１に示すように、電源ユニット１が筐体２の内部に収納された状態において、電源ユニット１は、後述するユニット固定部材、例えばユニット固定金具１５によって筐体２に固定される。ユニット固定金具１５には、図３に拡大斜視図を示すように、第１の穴である長円形の穴１５ａと第２の穴である長円形の切欠き穴１５ｂが形成されている。この長円形の穴１５ａと長円形の切欠き穴１５ｂは、ユニット取り付け板４の折曲部６に形成されたねじ穴７と、電源ユニット１の底板８の折曲部１０に形成されたねじ穴１１に対向する位置に形成されている。なお、第１の穴１５ａと第２の穴１５ｂは、必ずしも長円形である必要はなく、円形であってもよく、また、一方が円形で他方が長円形であってもよい。また、第２の穴１５ｂを切欠き穴としたが、第１の穴１５ａを切り欠き穴としてもよく、何れか一方を切り欠き穴とすればよい。
【００１６】
実施の形態１に係る電源ユニットの固定装置は上記のように構成されており、次にこの電源ユニット１を筐体２に固定する方法について説明する。
電源ユニット１を、ユニット押え板５と押え板受け１４から構成されるガイド装置を機能させて筐体２の内部に収納し、ユニット固定金具１５の長円形の穴１５ａと、ユニット取り付け板４の折曲部６に形成されたねじ穴７を対向させ、長円形の穴１５ａとねじ穴７に挿通される固定用ねじ１６から成る第１の連結部材により、ユニット固定金具１５を電源ユニット１に固定する。また、ユニット固定金具１５の長円形の切欠き穴１５ｂと電源ユニット１の底板８の折曲部１０に形成されたねじ穴１１を対向させ、長円形の切欠き穴１５ｂとねじ穴１１に挿通される固定用ねじ１７から成る第２の連結部材により、電源ユニット１を筐体２に固定する。このようにして電源ユニット１を筐体２に固定することが出来る。
【００１７】
次に、電源ユニット１の定期的メンテナンス、あるいは故障時における電気部品の交換等で、電源ユニット１を筐体２から取り出す場合について説明する。
電源ユニット１を筐体２から取り出す場合は、前記固定用ねじ１６及び固定用ねじ１７の両者を緩めることにより、ユニット固定金具１５を可動状態にする。ユニット固定金具１５には長円形の切欠き穴１５ｂが形成されているので、ユニット固定金具１５を可動状態にすることにより、固定用ねじ１６を軸として回転させて長円形の切欠き穴１５ｂから固定用ねじ１７の係合を解除させることが可能となる。これにより長円形の穴１５ａから固定用ねじ１６を外すことなく、電源ユニット１と筐体２の固定を解除した状態にすることが可能である。このようにして電源ユニット１を筐体２から取り出すことが出来る。
【００１８】
以上のように、実施の形態1に係る電源ユニット１の固定装置及びその装置を用いた電源ユニット１の固定方法によれば、固定用ねじ１６及び固定用ねじ１７の両方を緩め、ユニット固定金具１５を回転させるのみで、電源ユニット１をそのまま手前側に引き出すことにより、筐体２から取り外すことができる。この時、ユニット固定金具１５は、底板８の折曲部１０に形成されたねじ穴１１に挿通された固定用ねじ１６にぶら下がった状態のままであり、取り外す必要もなく、従って、筐体２の内部に落としてしまうこともなくなり、作業の効率化を図ることができる。
【００１９】
また、ユニット押え板５と押え板受け１４により電源ユニット１の左右両側部を押さえ付けて電源ユニット１を固定させ、また、ガイド装置として機能する構成にしているので、電源ユニット１の側面側、あるいは背面側等に電源ユニット１を脱着するためのスペースを必要としないので、装置の小型化に寄与する効果がある。
【００２０】
実施の形態２．
次に、この発明の実施の形態２について説明する。実施の形態１では電源ユニット１を、電源ユニット１の左右側面の外側においてユニット押え板５と押え板受け１４により押さえ付ける構成について図示説明したが、実施の形態２は、ユニット取り付け部材であるユニット取り付け板に、ユニット押え部材、例えばユニット押え金具を予め固定し、このユニット押え金具により、電源ユニットをその底面において固定する実施の形態を示すものである。以下に図面を参照して説明する。
【００２１】
図４乃至図６はこの発明の実施の形態２を説明する図で、図４はユニット取り付け板の平面図、図５はユニット押え金具を示す拡大斜視図、図６は電源ユニットを示す図である。なお、図６（ａ）は正面図、図６（ｂ）は図６（ａ）の矢印Ａ方向から見た図、図６（ｃ）は図６（ａ）の背面方向から見た図である。
【００２２】
図４から明らかなように、ユニット取り付け部材、例えばユニット取り付け板４０の前面部と背面部に、電源ユニット４１（図６参照）の左右幅に相当する間隔でユニット押え部材であるユニット押え金具４２が一対ずつ（図４では１２箇所）予め固定されている。このユニット押え金具４２は図５に拡大斜視図を示すように、底板部４２ａと底板部４２ａから上方に突出するＬ形状部４２ｂが一体形成され、矢印Ｃ方向から見た形状がコ字状を成すように構成されている。このユニット押え金具４２は、一枚の板材を所定形状に切り取り、この切り取った板材を矢印Ｃ方向から見た形状がコ字状を成すように折り曲げて形成されている。なお、ユニット押え金具４２の底板部４２ａの両端部には穴４２ｃが設けられており、この穴４２ｃにねじやボルト等の連結部材を挿通してねじ締めすることにより、ユニット押え金具４２をユニット取り付け板４０の上記箇所に固定している。
【００２３】
また、図６（ｃ）に見られるように、電源ユニット４１の底板４３は、両側面において内側にコ字状に折り曲げた折曲部４４が形成されている。そして、電源ユニット４１を筐体に収納する際、この折曲部４４をユニット押え金具４２の前記コ字状部に係合させて収納して固定する。以上のように構成すれば、電源ユニット４１の幅寸法よりも狭い間隔で、ユニット押え金具４２と電源ユニット４１の底板４３に形成された折曲部４４による押え構造が実現できる。よって、取り付け場所の幅方向の寸法に余裕がない場合においても、電源ユニット４１の配置が可能になる。なお、この時、電源ユニット４１の底板４３の左右側面に、前面から背面方向に切り欠き部４５を形成しておけば、電源ユニット４１の取り付け、取り外しの際に、ユニット取り付け板４０の上を滑らせるようにして行うことができ、作業が容易に実施できる効果がある。
【００２４】
また、説明は省略したが実施の形態２においても、図６（ａ）に示すように、電源ユニット４１の前面部において、底板４３の前面部を折曲して折曲部４６が形成されており、この折曲部４６の両端部にねじ穴４７を形成し、実施の形態１で説明したのと同様のユニット固定金具（図示せず）を採用することにより、電源ユニット４１を筐体２に固定している。
【００２５】
以上のように、実施の形態２に係る電源ユニット１の固定装置及びその装置を用いた電源ユニット１の固定方法によれば、実施の形態１と同様の効果を奏すると共に、取り付け場所の幅方向の寸法に余裕がない場合においても、電源ユニット４１の配置が可能になる効果を発揮する。
【００２６】
上記各実施の形態においては、この発明を無停電電源装置における電源ユニットに適用し、電源ユニットを筐体に固定する場合について説明したが、この発明は、これに限定されるものでなく、各種ユニットを筐体に固定する場合に適用できるものであり、諸種の設計的変更をも含むものである。
【産業上の利用可能性】
【００２７】
この発明は、電源ユニット等、各種のユニットを筐体に収納し、固定するユニットの固定装置に適用できる。
【図面の簡単な説明】
【００２８】
【図１】この発明の実施の形態１に係る電源ユニットを筐体に収納した状態を示す部分斜視図である。
【図２】この発明の実施の形態１に係る電源ユニットの斜視図である。
【図３】この発明の実施の形態１に係る電源ユニット固定金具を示す拡大斜視図である。
【図４】この発明の実施の形態２に係るユニット取り付け板の平面図である。
【図５】この発明の実施の形態２に係るユニット押え金具を示す拡大斜視図である。
【図６】この発明の実施の形態２に係る電源ユニットを示す図である。
【符号の説明】
【００２９】
１，４１  電源ユニット
２  筐体
３  筐体枠
４，４０  ユニット取り付け板
５  ユニット押え板
６  折曲部
７，１１  ねじ穴
８，４３  底板
９  電気部品
１０，４４  折曲部
１２  取っ手
１３  ユニットフレーム
１４  押え板受け
１５ａ，１５ｂ  切欠き穴
１６，１７  固定用ねじ
４２  ユニット押え金具
４５  切り欠き部
【図１】
2008277402.tif 000003
【図２】
2008277402.tif 000004
【図３】
2008277402.tif 000005
【図４】
2008277402.tif 000006
【図５】
2008277402.tif 000007
【図６】
2008277402.tif 000008